(57)【要約】【課題】庇板に穿孔などの特別な加工を必要とせず、また、庇板の外周縁が破損したり庇板が撓んで変形してりするのを防止して強度や見栄えを低下させないようにする。【解決手段】建物の外壁面に取り付けられた支持具３により板ガラス製の庇板２の基端縁が支持される。庇板２はアーム４，４により吊持される。庇板２の両側縁には縁枠５が装着される。各縁枠５は長さ方向に沿う摺動溝を有し、その摺動溝に２個の位置決め部材が摺動自由に保持されている。各縁枠５の位置決め部材には、上端が建物の外壁面に支持された２本のアーム４の下端部がそれぞれ連結される。【選択図】図１
2006328755.tif 000002
【特許請求の範囲】
【請求項１】
建物の外壁面に取り付けられた支持具により板ガラス製の庇板の基端縁が支持されるとともに、前記庇板がアームにより吊持されて成る庇において、前記庇板の両側縁に縁枠がそれぞれ装着され、各縁枠は長さ方向に沿う摺動溝を有し、その摺動溝内に位置決め部材が摺動自由に保持されており、各縁枠の前記位置決め部材には、上端が建物の外壁面に支持された２本のアームの下端部がそれぞれ連結されて成る庇。
【請求項２】
前記庇板の先端縁には、さらに縁枠が装着されている請求項１に記載された庇。
【請求項３】
前記庇板と縁枠との間にはクッション材を介在させている請求項１または２に記載された庇。
【発明の詳細な説明】
【技術分野】
【０００１】
この発明は、建物の外壁面より張り出すように設けられる庇に関し、特にこの発明は、庇板として板ガラスが用いられた庇に関する。
【背景技術】
【０００２】
従来、この種の庇は、板ガラス製の庇板の基端部が建物の外壁面に取り付けられた支持具により支持されるとともに、庇板の少なくとも２箇所がアームにより水平ないしは水平に近い角度で吊持されている（例えば、特許文献１参照）。各アームは、上端部が建物の外壁面に、下端部が庇板の板面に、それぞれ自在継ぎ手を介して接続されている。庇板の板面には、自在継ぎ手を取り付けるための取付孔が貫通して設けられている。
【０００３】
【特許文献１】特開２００３−１６０９９３号公報
【発明の開示】
【発明が解決しようとする課題】
【０００４】
しかしながら、上記した構成の庇では、庇板に取付孔を形成する必要があるため、庇板の加工に手数がかかるだけでなく、庇板が板ガラス製であるので、自在継ぎ手の取付孔によって庇板の強度が低下し、破損による落下を招く要因となる。また、庇板の外周縁は外部からの衝撃を受けて破損され易く、欠けや割れを生じさせるおそれがある。さらに、張り出し長さが大きな庇では自重で撓んで変形するおそれもあり、強度や見栄えの低下を招くという問題がある。
【０００５】
この発明は、上記した問題に着目してなされたもので、板ガラス製の庇板に穿孔などの特別な加工を必要とせず、また、庇板の外周縁が破損したり庇板が撓んで変形したりするのを防止して強度や見栄えを低下させないようにした庇を提供することを目的とする。
【課題を解決するための手段】
【０００６】
この発明による庇は、建物の外壁面に取り付けられた支持具により板ガラス製の庇板の基端縁が支持されるとともに、前記庇板がアームにより吊持されて成るものであり、前記庇板の両側縁に縁枠がそれぞれ装着されている。各縁枠は長さ方向に沿う摺動溝を有し、その摺動溝内に位置決め部材が摺動自由に保持されている。各縁枠の前記位置決め部材には、上端が建物の外壁面に支持された２本のアームの下端部がそれぞれ連結されている。
【０００７】
上記した構成の庇を建物の外壁面に取り付けるには、庇板の基端部を建物の外壁面に取り付けられた支持具により支持させる。庇板の両側縁には予め縁枠をそれぞれ装着しておく。庇板をアームにより吊持するために、２本のアームの上端部を建物の外壁面にそれぞれ固定し、各アームの下端部を各縁枠に連結する。この場合、アームの長さに応じて縁枠の摺動溝に沿って位置決め部材を移動させて適所に位置決めした後、その位置決め部材にアームの下端部を連結する。
庇板の両側縁は縁枠により保護されているので、外部からの衝撃を受けても破損せず、欠けや割れを生じさせない。また、張り出し長さが大きな庇であっても縁枠により撓みや変形が防止され、強度や見栄えの低下を招かない。
【０００８】
この発明の好ましい実施態様では、前記庇板の先端縁にも縁枠が装着されているので、庇板は両側縁に加えて先端縁も保護され、縁枠の外周全体が外部からの衝撃から保護される。
【０００９】
さらに、この発明の好ましい実施態様においては、前記庇板と縁枠との間にはクッション材を介在させているので、庇板に縁枠が直接接触するのを防止できるだけでなく、クッション材が外部衝撃を吸収して緩衝作用を発揮するので、庇板の破損を一層防止し得る。
【発明の効果】
【００１０】
この発明によると、板ガラス製の庇板の板面に自在継ぎ手の取付孔を形成する必要がないから、庇板の加工に手数を要さない。また、庇板の強度低下を防止でき、庇板の破損による落下を招くこともない。さらに、庇板の両端縁は縁枠により保護されるので、外部からの衝撃を受けても破損せず、欠けや割れを生じさせない。さらにまた、張り出し長さが大きな庇であっても縁枠により撓みや変形が防止され、強度や見栄えの低下を招くことがない。さらに、縁枠にアームの下端部を連結するので、アームの下端部を連結するための特別の部材を必要とせず、部品点数が増すおそれもない。さらにまた、アームの長さに応じて位置決め部材を移動させてアームの下端部の連結位置を変更できるので、長さが異なる複数のアームを用意する必要がなく、在庫管理が容易である。
【発明を実施するための最良の形態】
【００１１】
図１〜図３は、この発明の一実施例である庇１の外観とその設置状態を示している。
図示例の庇１は、建物の外壁面ａから張り出すように取り付けられる板ガラス製の庇板２と、建物の外壁面ａに取り付けられ前記庇板２の基端縁を支持する支持具３と、前記庇板２を支持して水平ないしは水平に近い角度で吊持する２本のアーム４，４と、前記板ガラス２の両側縁および先端縁にそれぞれ装着される縁枠５，５ａとで構成されている。前記支持具３、アーム４、および縁枠５，５ａは金属製であるが、必要な強度が確保できるのであれば、必ずしも金属製である必要はなく、合成樹脂製であってもよい。
【００１２】
前記庇板２は、平面形状が矩形状であり、図４に示すように、２枚の透明な強化ガラス板２０，２１を強靱かつ無色透明なシート材２２を中間に挟んで一体接合して成るものである。前記シート材２２の表裏面には粘着層が設けられ、この粘着層によって各強化ガラス板２０，２１とシート材２２とが接合されるので、たとえ強化ガラス板２０，２１が強い衝撃を受けて破損しても、その破片が散乱することがない。なお、庇板２は必ずしも複数枚のガラス板を貼り合わせたものである必要はなく、１枚ものであってもよい。
【００１３】
前記支持具３は、庇板２の横幅と一致する長さを有する枠状体であり、板ガラス２の基端縁を支持する本体フレーム３０と、本体フレーム３０の前面の上半分を覆う蓋板６とを含んでいる。支持具３の両端面は開放されており、各開放部を端板７，７で塞いでいる。
【００１４】
前記本体フレーム３０は、背板部３２の上端縁にやや下向きの上壁部３３が、高さ中央部および下端縁に水平な中間壁部３４および下壁部３５が、それぞれ突設されたものである。前記背板部３２には、上壁部３３と中間壁部３４との間に、アンカーボルト７１が挿入されるボルト挿通孔３６が長さ方向へ一定間隔毎に設けられている。前記中間壁部３４と下壁部３５との間には、庇板２の後端縁が差し込まれる支持溝３１が形成されている。この支持溝３１内にはゴムや発泡樹脂などのクッション材３７が装填されるとともに、支持溝３１の開口部はシリコンなどのコーキング材３８により密封されている。なお、前記クッション材３７は庇板２に作用する衝撃や振動を吸収する。コーキング材３８は支持溝３１内への雨水の浸入を防止するとともに、支持溝３１からの庇板２の抜けを阻止する。
【００１５】
前記蓋板６は、下端部が本体フレーム３０の中間壁部３４の先端縁に支持され、上端部が上壁部３３の上面に支持されて複数箇所がねじ７０により止め固定されている。蓋板６の下端部の内面には中間壁部３４に係合する突状部６１が形成され、上端部には前記ねじ７０の頭部を支持する孔６２が形成されている。前記本体フレーム３０の上壁部３３にはねじ孔３９が形成され、このねじ孔３９にねじ７０がねじ込まれて蓋板６が固定される。なお、図４において、７３は外壁部ａと支持具３との隙間や本体フレーム３０と蓋板６との隙間に雨水が浸入するのを防止するコーキング材である。
【００１６】
各アーム４は、長さ調節が可能な構成のものであり、図３および図５に示すように、金属製パイプより成るアーム本体４０の両端にねじ軸４１，４２を介して取付金具８，８０がそれぞれ取り付けられている。各ねじ軸４１，４２は一端部に前記取付金具８，８０の連結板８１が取り付けられ、他端部はアーム本体４０の両端に装着されたナット部材４３，４４にねじ込まれている。各ねじ軸４１，４２はねじの方向が逆方向であり、アーム本体４０を一方向へ回転させたとき、各ねじ軸４１，４２がアーム本体４０の両端より突き出てアーム４の長さが長くなる。また、アーム本体４０を反対方向へ回転させたとき、ねじ軸４１，４２がアーム本体４０の内部へ入り込んでアーム４の長さが短くなる。
【００１７】
アーム４の下端部側の取付金具８は、図５および図６に示すように、枢軸８２上に連結板８１と取付板８３とを回動自由に取り付けることにより連結板８１に対して取付板８３を屈曲可能としたものである。取付板８３は、基板部８３ｂ上に前記連結板８１を両側から挟む一対の支持板部８３ａ，８３ａが一体形成されたものである。前記基板部８３ｂには２個の貫通孔８５，８５が形成され、各貫通孔８５に後述する位置決め部材９のねじ軸９０，９０を挿通させてナット８６を装着する。
【００１８】
アーム４の上端部側の取付金具８０は、図１および図３に示すように、枢軸８２上に前記連結板８１と取付板８４とを回動自由に取り付けることにより連結板８１に対して取付板８４を屈曲可能としたものである。前記取付板８４は、基板部８４ｂ上に前記連結板８１を両側から挟む一対の支持板部８４ａ，８４ａが一体形成されたものである。前記基板部８４ｂには２個の貫通孔８９，８９が形成され、各貫通孔８９にアンカーボルト７４をそれぞれ挿通して基板部８４ｂを建物の外壁面ａに固定する。
【００１９】
前記庇板２の両側縁には、庇板２の縦幅よりやや短い長さの縁枠５が装着されるとともに、庇板２の先端縁には、庇板２の横幅よりやや短い長さの縁枠５ａが庇板２と中心線を揃えて装着されている。図示例の各縁枠５は、図５に示すように、庇板２の側縁が挿入される取付溝５０と、位置決め部材９を長さ方向へ摺動自由に保持する摺動溝５１とが全長にわたって形成されたものである。前記取付溝５０は、前面部５２と下壁部５３と上壁部５４との間に形成されており、この取付溝５０内には庇板２に作用する衝撃や振動を吸収するためのゴムや発泡樹脂などのクッション材５５が装填されるとともに、取付溝５０の開口部は取付溝５０内への雨水の浸入を防止しかつ取付溝５０からの庇板２の抜けを阻止するシリコンなどのコーキング材５６により密封されている。
【００２０】
前記摺動溝５１は、上壁部５４の外面に全長にわたって突設された囲い壁５７内に形成されている。前記囲い壁５７は全長にわたる溝開口５８を備えており、この溝開口５８は、位置決め部材９が脱出しないように、前記位置決め部材９の幅より小さな溝幅に設定されている。
前記位置決め部材９は、前記摺動溝５１の溝幅とほぼ同一幅を有する金属製の板状体であり、アーム４の下端部との連結位置に位置決めされる。位置決め部材９の板面上には対称位置にねじ軸９０，９０が上向きに突設されている。各ねじ軸９０は前記摺動溝５１の溝開口５８より囲い壁５７の上方へ突出している。各ねじ軸９０はアーム４の下端に取り付けられた取付金具８に接続されるもので、取付金具８の取付板８３に形成された貫通孔８５にねじ軸９０を通し、その先端にナット８６を装着して締め付ける。
【００２１】
庇板２の先端縁に装着される縁枠５ａは、前記位置決め部材９が用いられていないだけで、上記した縁枠５と同様の構成のものであり、ここでは説明を省略する。
なお、図示していないが、横幅の大きな庇については、３本以上のアーム４を用いて庇板２を吊持してもよく、その場合に、庇板２の先端縁に装着された縁枠５ａに位置決め部材９を組み込んで中間位置のアーム４の下端を連結する。
【００２２】
上記した構成の庇１を建物の外壁面ａに設けるには、庇板２の設置位置に合わせて支持具３を、アーム４の上端の固定位置に合わせて取付金具８０を、それぞれ外壁面ａに取り付ける。一方、庇板２はその両側縁および先端縁を縁枠５，５ａの取付溝５０に挿入することにより縁枠５，５ａが装着される。次に、庇板２の基端縁を前記支持具３の支持溝３１に挿入して支持させるとともに、２本のアーム４により庇板２を吊持する。
【００２３】
まず、各アーム４の長さに応じて各縁枠５の位置決め部材９を縁枠５の摺動溝５１に沿って移動させて位置決めする。次に、位置決め部材９のねじ軸９０，９０が摺動溝５１の溝開口５８より突出しているので、ねじ軸９０にアーム４の下端部に取り付けた取付金具８を接続する。
【００２４】
上記した実施例の庇１によると、庇板２の両側縁と先端縁とは縁枠５，５ａにより保護されているので、外部からの衝撃を受けても庇板２の両側縁や先端縁は破損せず、欠けや割れを生じさせない。また、張り出し長さが大きな庇であっても、縁枠５により撓みや変形が防止され、強度や見栄えの低下を招かない。しかも、板ガラス製の庇板２と各縁枠５，５ａとの間にはクッション材５５を介在させているので、庇板２に縁枠５，５ａが直接接触するのを防止でき、加えて、クッション材５５が外部衝撃を吸収して緩衝作用を発揮するので、庇板２の破損を一層防止し得る。
【図面の簡単な説明】
【００２５】
【図１】この発明の一実施例である庇の外観を示す斜視図である。
【図２】図１の庇を建物の外壁面に設置した状態を示す平面図である。
【図３】図１の庇を建物の外壁面に設置した状態を示す側面図である。
【図４】板ガラスと支持具の構成を示す断面図である。
【図５】図１のＡ−Ａ線に沿う断面図である。
【図６】アームの下端部の取付金具の構成を示す分解斜視図である。
【符号の説明】
【００２６】
１    庇
２    庇板
３    支持具
４    アーム
５，５ａ  縁枠
９    位置決め部材
【図１】
2006328755.tif 000003
【図２】
2006328755.tif 000004
【図３】
2006328755.tif 000005
【図４】
2006328755.tif 000006
【図５】
2006328755.tif 000007
【図６】
2006328755.tif 000008